(57)【要約】【課題】  メダルの枚数を計数する手段を無効にされてもメダルの不正な抜き取りを検出して警報できるようにする。【解決手段】  外部から補給されたメダルを払い出し時まで貯留するメダルホッパー６と、投入された紙幣又は硬貨の真偽を識別するビルバリと、投入金額に応じた枚数のメダルをメダルホッパー６から払い出す払出器７とを備えたメダル貸し機の不正検出装置において、不正検出装置を、払出器７のモーター７ｃの配線７ｅ内の電流を検知する電流センサー１３ｈと、電流センサー１３ｈが電流を検知してからの経過時間をカウントするカウンタと、電流センサー１３ｈが電流を検知しなくなるとカウンタをリセットするリセット手段と、カウンタのカウント値が投入金額に応じた枚数のメダル払出しに要する標準的時間を超えると不正を示す信号を出力する不正信号出力手段とで構成する。【選択図】  図２
2008295910.tif 000002
【特許請求の範囲】
【請求項１】
外部から補給されたメダルを払い出し時まで貯留するメダルホッパーと、投入された紙幣又は硬貨の真偽を識別するビルバリと、投入金額に応じた枚数のメダルをメダルホッパーから払い出す払出器とを備えたメダル貸し機の不正検出装置において、不正検出装置が、払出器の作動を検知する作動検知手段と、作動検知手段が検知してからの経過時間をカウントするカウント手段と、作動検知手段が払出器の作動を検知しなくなるとカウント手段のカウント値をリセットするリセット手段と、カウント手段のカウント値が投入金額に応じた枚数のメダル払出しに要する標準的時間を超えると不正を示す信号を出力する不正信号出力手段とで構成されたことを特徴とする、メダル貸し機の不正検出装置。
【請求項２】
外部から補給されたメダルを払い出し時まで貯留するメダルホッパーと、投入された紙幣又は硬貨の真偽を識別するビルバリと、投入金額に応じた枚数のメダルをメダルホッパーから払い出す払出器とを備えたメダル貸し機の不正検出装置において、不正検出装置が、払出器の作動を検知する作動検知手段と、作動検知手段が検知してからの経過時間をカウントするカウント手段と、作動検知手段が払出器の作動を検知しなくなるとカウント手段のカウント値をリセットするリセット手段と、カウント手段のカウント値が投入金額に応じた枚数のメダル払出しに要する標準的時間を超える経過時間に達した際に作動検知手段が払出器の作動を検知していると不正を示す信号を出力する不正信号出力手段とで構成されたことを特徴とする、メダル貸し機の不正検出装置。
【請求項３】
不正検出装置の作動検知手段が、払出器のモーターの配線の途中位置に電流を検知する電流センサーを取り付け、配線に流れた電流で払出器の作動を検知できるようにしたものである、請求項１又は２記載のメダル貸し機の不正検出装置。
【発明の詳細な説明】
【技術分野】
【０００１】
本発明は、メダルの不正な抜き取りを検出して警報できるようにするメダル貸し機の不正検出装置に関する。
【背景技術】
【０００２】
従来のメダル貸し機の不正検出装置が特許文献１で開示されている。この技術は、外部から補給されたメダルを払い出し時まで貯留するメダルホッパーと、投入金額に応じた枚数のメダルをメダルホッパーから払い出す払出器と、払出器で払い出されるメダルを計数用に検知する爪等を備えた検知器と、メダルホッパーのメダルの所定量以下をセンサーで検知すると外部から一定量のメダルをバッチ補給する補給手段と、バッチ補給間における払い出し枚数が設定枚数より少ないと不正と判断して警報する警報手段とを備えたことを特徴としている。
【０００３】
ところで、前記の技術では、メダルの受け皿から差し込んだ手で検知器の爪を押さえつけて検知不能にし、計数を停止させて投入金額に応じた枚数以上のメダルを不正に抜き取られてしまうことがあった。前記のような不正検出技術は、メダルの実際の払い出し枚数を設定枚数と比較することで不正か否かを判断するから、メダルの枚数を計数する手段自体が無効にされると効果を発揮できず、依然不正行為を容易に許してしまう問題があった。
【特許文献１】特開２００２−１０２４２５号公報
【発明の開示】
【発明が解決しようとする課題】
【０００４】
本発明が解決しようとする課題は、従来のこれらの問題点を解消し、メダルの枚数を計数する手段を無効にされてもメダルの不正な抜き取りを検出して警報できるようにするメダル貸し機の不正検出装置を提供することにある。
【課題を解決するための手段】
【０００５】
かかる課題を解決した本発明の構成は、
１）  外部から補給されたメダルを払い出し時まで貯留するメダルホッパーと、投入された紙幣又は硬貨の真偽を識別するビルバリと、投入金額に応じた枚数のメダルをメダルホッパーから払い出す払出器とを備えたメダル貸し機の不正検出装置において、不正検出装置が、払出器の作動を検知する作動検知手段と、作動検知手段が検知してからの経過時間をカウントするカウント手段と、作動検知手段が払出器の作動を検知しなくなるとカウント手段のカウント値をリセットするリセット手段と、カウント手段のカウント値が投入金額に応じた枚数のメダル払出しに要する標準的時間を超えると不正を示す信号を出力する不正信号出力手段とで構成されたことを特徴とする、メダル貸し機の不正検出装置
２）  外部から補給されたメダルを払い出し時まで貯留するメダルホッパーと、投入された紙幣又は硬貨の真偽を識別するビルバリと、投入金額に応じた枚数のメダルをメダルホッパーから払い出す払出器とを備えたメダル貸し機の不正検出装置において、不正検出装置が、払出器の作動を検知する作動検知手段と、作動検知手段が検知してからの経過時間をカウントするカウント手段と、作動検知手段が払出器の作動を検知しなくなるとカウント手段のカウント値をリセットするリセット手段と、カウント手段のカウント値が投入金額に応じた枚数のメダル払出しに要する標準的時間を超える経過時間に達した際に作動検知手段が払出器の作動を検知していると不正を示す信号を出力する不正信号出力手段とで構成されたことを特徴とする、メダル貸し機の不正検出装置
３）  不正検出装置の作動検知手段が、払出器のモーターの配線の途中位置に電流を検知する電流センサーを取り付け、配線に流れた電流で払出器の作動を検知できるようにしたものである、前記１）又は２）記載のメダル貸し機の不正検出装置
にある。
【発明の効果】
【０００６】
本発明によれば、投入金額に応じた枚数のメダルが払出器で払い出される際、その払出器の作動開始からの経過時間をカウント手段でカウントし、そのカウント値が投入金額に応じた枚数のメダル払出しに要する標準的時間を超える場合又は前記カウント値が前記標準的時間を超えた際に作動検知手段が払出器の作動を検知していると不正と判断し、不正信号出力手段が不正を示す信号を出力する。払出器が作動を開始してから前記標準的時間を超える経過時間未満で停止すると正常と判断し、リセット手段がカウント値をリセットしてメダル貸し機の稼動を継続する。
【０００７】
したがって、メダル枚数の計数手段を無効にされても不正検出手段が機能し、しかもメダル枚数の計数手段と比較して手の届きにくい（不正行為者にとって分かりにくい）ところで検出が行われるから不正行為が困難であり、従来技術と比較してより確実に不正を検出して警報できるようになる。
【発明を実施するための最良の形態】
【０００８】
本発明では、不正信号出力手段が不正を示す信号を出力すると、警報音を発音させたり警報ランプを点滅させる。また、同時に払出器の作動を強制的に停止させてもよい。以下、本発明の実施例を図面に基づいて具体的に説明する。
【実施例１】
【０００９】
図１〜５に示す実施例は、スロットマシンのゲーム用のメダルを貸し出すメダル貸し機の不正検出装置の例である。図１は実施例のメダル貸し機の一部切欠き斜視図、図２は実施例の払出器の説明図、図３は実施例の不正検出装置の説明図、図４は実施例の不正検出装置のプログラムのフローチャート、図５は実施例の払出器の作動と不正検出を示すチャートである。
【００１０】
図中、１はメダル貸し機、２は筐体、３は紙幣投入口、４はビルバリ、５は補給路、６はメダルホッパー、６ａはタッチセンサー、７は払出器、７ａは取込口、７ｂは回転盤、７ｃはモーター、７ｄはメダル検知センサー、７ｅは配線、８は受け皿、９はシュート、１０は補給装置、１１は供給ライン、１２は制御部、１３は不正検出装置、１３ａはＣＰＵ、１３ｂはＲＡＭ、１３ｃはＲＯＭ、１３ｄはクロック、１３ｅはインターフェイス、１３ｆはスピーカー、１３ｇは警報ランプ、１３ｈは電流センサー、ｍはメダルである。
【００１１】
本実施例のメダル貸し機１は、図１に示すように紙幣投入口３に投入された紙幣の真偽を識別するビルバリ４と、補給路５を通じて補給したメダルｍを払い出し時まで貯留するメダルホッパー６と、メダルホッパー６内のメダルｍの所定量以下を検知するタッチセンサー６ａと、メダルホッパー６内のメダルｍを払い出す払出器７と、払出器７で払い出されたメダルｍを受け皿８へ排出するシュート９と、投入金額に応じた枚数のメダルｍを払い出すように払出器７を作動させる制御とタッチセンサー６ａが検知すると補給装置１０を作動させて供給ライン１１のメダルｍを補給路５へ取り込む制御とを行う制御部１２とで構成されている。
【００１２】
払出器７は、図２に示すようにメダルの取込口７ａを備えた回転盤７ｂと、回転盤７ｂを回転させるモーター７ｃと、取り込まれたメダルｍを計数するメダル検知センサー７ｄとで構成されている。不正検出装置１３は、図３に示すようにＣＰＵ１３ａ・ＲＡＭ１３ｂ・ＲＯＭ１３ｃ・クロック１３ｄ・インターフェイス１３ｅ・スピーカー１３ｆ・警報ランプ１３ｇ・電流センサー１３ｈで構成され、電流センサー１３ｈを払出器７のモーター７ｃの配線７ｅの途中に取り付けている。
【００１３】
ＲＯＭ１３ｃ内のプログラムは、電流センサー１３ｈで配線７ｅ内の電流を検知するとクロック１３ｄからカウント開始時間Ｔ１を取得してカウントを開始し、現在時間Ｔ２からカウント開始時間Ｔ１を差し引いた経過時間Ｔ３が２０秒を超えるとスピーカー１３ｆで警報音を発音するとともに警報ランプ１３ｇを点滅し、経過時間Ｔ３が２０秒に達する前に電流センサー１３ｈが電流を検知しなくなると経過時間Ｔ３をリセットするように構成している。不正検出装置１３は制御部１２の前部に内蔵させ、筐体２の正面にスピーカー１３ｆ用のスリットと警報ランプ１３ｇ用の窓を形成している。
【００１４】
本実施例では、紙幣投入口３に紙幣が投入されるとビルバリ４が真偽を識別し、その投入金額に応じた枚数のメダルｍがメダルホッパー６から払出器７で計数しながら払い出される。払い出しで減少したメダルｍがタッチセンサー６ａから離間して検知されると、補給装置１０が作動して供給ライン１１のメダルｍが補給路５を通じてメダルホッパー６へ取り込まれ、補給されたメダルｍが積み上がってタッチセンサー６ａに触れて検知されると補給装置１０が停止する。
【００１５】
払出器７では、モーター７ｃが作動して回転盤７ｂが回転し、メダルホッパー６の底部位置のメダルｍから順に取込口７ａへ取り込まれ、メダル検知センサー７ｄで計数されながらシュート９へ送り込まれる。例えば１０００円が投入された場合は５０枚が払い出される。５０枚の払出しに要する時間は、外径２５ｍｍのメダルｍは約６秒、外径３０ｍｍのメダルｍは約８秒が標準的で、前記設定した２０秒は標準時間のおよそ３倍としている。
【００１６】
不正検出装置１３では、図４，５に示すようにモーター７ｃの作動のために流れる配線７ｅ内の電流を電流センサー１３ｈが検知し、経過時間Ｔ３がカウントされる。経過時間Ｔ３が２０秒に達する前に電流センサー１３ｈが電流を検知しなくなると（モーター７ｃが停止すると）正常に払い出されたと判断し、経過時間Ｔ３をリセットして監視を継続する。経過時間Ｔ３が２０秒を超えると不正と判断し、スピーカー１３ｆで警報音を発音するとともに警報ランプ１３ｇを点滅し、その警報音や点滅で店員や警備員が駆けつけて不正行為が防止される。
【００１７】
図６に示すのは、実施例の不正検出装置のプログラムの他の例である。図６ｆ実施例の他の例のプログラムのフローチャートである。図６に示す実施例の他の例では、経過時間Ｔ３が２０秒を超える時間に達した際に電流センサー１３ｈがモーター７ｃの配線７ｅ内の電流を検知していると不正と判断し、スピーカー１３ｆで警報音を発音するとともに警報ランプ１３ｇを点滅するように構成している。この例は、モーター７ｃの作動チェックが実施例と多少異なる方法であり、その他、構成、作用効果は実施例と同じである。
【産業上の利用可能性】
【００１８】
本発明のメダル貸し機の不正検出装置は、メダルを用いる全ての遊技設備のメダル貸し機に利用できる。また、従来の不正検出装置と組み合わせて不正行為の検出精度をより高めることができる。
【図面の簡単な説明】
【００１９】
【図１】実施例のメダル貸し機の一部切欠き斜視図である。
【図２】実施例の払出器の説明図である。
【図３】実施例の不正検出装置の説明図である。
【図４】実施例の不正検出装置のプログラムのフローチャートである。
【図５】実施例の払出器の作動と不正検出を示すチャートである。
【図６】実施例の他の例の不正検出装置のプログラムのフローチャートである。
【符号の説明】
【００２０】
１  メダル貸し機
２  筐体
３  紙幣投入口
４  ビルバリ
５  補給路
６  メダルホッパー
６ａ  タッチセンサー
７  払出器
７ａ  取込口
７ｂ  回転盤
７ｃ  モーター
７ｄ  メダル検知センサー
７ｅ  配線
８  受け皿
９  シュート
１０  補給装置
１１  供給ライン
１２  制御部
１３  不正検出装置
１３ａ  ＣＰＵ
１３ｂ  ＲＡＭ
１３ｃ  ＲＯＭ
１３ｄ  クロック
１３ｅ  インターフェイス
１３ｆ  スピーカー
１３ｇ  警報ランプ
１３ｈ  電流センサー
ｍ  メダル
【図１】
2008295910.tif 000003
【図２】
2008295910.tif 000004
【図３】
2008295910.tif 000005
【図４】
2008295910.tif 000006
【図５】
2008295910.tif 000007
【図６】
2008295910.tif 000008